(57)【要約】【課題】スピーカ装置の音質低下の抑制と省スペース性の向上の両立が可能な、スピーカ装置を提供する。【解決手段】振動部を有し、該振動部の振動により音声を生成するスピーカ本体部と、スピーカ本体部に連結して設けられ、振動部の振動を生成するための磁気回路を提供する磁気回路部と、磁気回路部に連結して設けられ所定の質量を有する錘部と、を備えるスピーカ装置において、磁気回路部には、磁気回路を内包する磁気回路本体部と、磁気回路本体部の外表面の部位であって、磁気回路部とスピーカ本体部との連結によって形成される、該スピーカ本体部から該磁気回路部に向かう方向である所定延在方向に沿って延在する部位に設けられたネジ部が設けられる。更に、錘部は、ネジ部を介して磁気回路部に螺合状態で連結され、且つ該連結状態において、所定延在方向に沿った該錘部の長さは、該所定延在方向に沿った該磁気回路部の長さ以内に収められる。【選択図】図２Ａ
2009194743.tif 000002
【特許請求の範囲】
【請求項１】
振動部を有し、該振動部の振動により音声を生成するスピーカ本体部と、
前記スピーカ本体部に連結して設けられ、前記振動部の振動を生成するための磁気回路を提供する磁気回路部と、
前記磁気回路部に連結して設けられ、所定の質量を有する錘部と、を備えるスピーカ装置であって、
前記磁気回路部は、
前記磁気回路を内包する磁気回路本体部と、
前記磁気回路本体部の外表面の部位であって、前記磁気回路部と前記スピーカ本体部との連結によって形成される、該スピーカ本体部から該磁気回路部に向かう方向である所定延在方向に沿って延在する部位に設けられたネジ部と、を有し、
前記錘部は、前記ネジ部を介して前記磁気回路部に螺合状態で連結され、且つ該連結状態において、前記所定延在方向に沿った該錘部の長さは、該所定延在方向に沿った該磁気回路部の長さ以内に収められる、
スピーカ装置。
【請求項２】
前記錘部は、前記ネジ部に螺合する貫通孔部を有し、該貫通孔部と該ネジ部が螺合することで、前記磁気回路部の外側周囲に螺合状態で連結される、
請求項１に記載のスピーカ装置。
【請求項３】
前記錘部は、前記所定延在方向に沿って複数の小錘部に分割可能であって、
前記磁気回路部に対して螺合状態で連結される、前記分割された前記小錘部の数が選択されることで、前記磁気回路部に対して付与される前記錘部の質量が調整される、
請求項１又は請求項２に記載のスピーカ装置。
【請求項４】
前記磁気回路本体部は、
磁石と、
前記磁石を内部に配することで内磁型の磁気回路を形成するヨーク部と、を有し、
前記ネジ部は、前記ヨーク部の外表面に設けられる、
請求項１から請求項３の何れかに記載のスピーカ装置。
【請求項５】
振動部を有し、該振動部の振動により音声を生成するスピーカ本体部と、
前記スピーカ本体部に連結して設けられ、前記振動部の振動を生成するための磁気回路を提供する磁気回路部と、
前記磁気回路部に連結して設けられ、所定の質量を有する錘部と、を備えるスピーカ装置であって、
前記磁気回路部は、
前記磁気回路を内包する磁気回路本体部と、
前記磁気回路本体部の外表面の部位であって、前記磁気回路部と前記スピーカ本体部との連結によって形成される、該スピーカ本体部から該磁気回路部に向かう方向である所定延在方向に沿って延在する部位に設けられたネジ部と、を有し、
前記錘部として、質量が同一又は質量が異なる小錘部が一又は複数選択されることで、該錘部の質量が調整され、
前記選択された小錘部からなる前記錘部は、前記ネジ部を介して小錘部ごとに前記磁気回路部に螺合状態で連結され、且つ該連結状態において、前記所定延在方向に沿った該錘部の長さは、該所定延在方向に沿った該磁気回路部の長さ以内に収められる、
スピーカ装置。
【発明の詳細な説明】
【技術分野】
【０００１】
本発明は、音声を生成するスピーカ装置に関する。
【背景技術】
【０００２】
スピーカ装置においては、原理的には、磁石を含む磁気回路部からの磁気回路とボイスコイルを流れる電流により振動板が振動され、それにより音声が生成される。ここで、磁気回路部は、いわば振動板を振動させるソースとなるものであり、振動板の振動に対して固定して設置されることが望まれる。しかし、実際には、スピーカ駆動の際には、振動板からの反発力により磁気回路部自体も何らかの振動状態に置かれてしまい、スピーカ装置の音質が低下してしまう場合がある。
【０００３】
そこで、上記反発力による磁気回路部の振動を抑制するために、磁気回路部に錘を追加的に取り付けることで、磁気回路部の振動を抑制する技術が開示されている（例えば、特許文献１を参照。）。当該技術では、スピーカ装置の磁気回路部に鉢形のゴム製の錘を追加的に嵌め込むことで、スピーカ装置の音質低下の抑制を図っている。
【特許文献１】特開昭６２−３１３００号公報
【発明の開示】
【発明が解決しようとする課題】
【０００４】
従来のスピーカ装置においてその音質を向上させるために、その磁気回路部に追加的に錘を設けると、結果的にスピーカ装置の長さが、当該錘の長さの分だけ長くなってしまう。この点について、図１に示す従来のスピーカ装置１００に基づいて説明する。図１に示す従来のスピーカ装置１００は、ボイスコイル２と、振動板３とスピーカ筐体部４とからなるスピーカ本体部５と、磁石１１と、ヨーク１２及びプレート１３とからなる磁気回路部１０を備える。磁気回路部１０においては、磁石１１がヨーク１２の内部に配置されるとともに、磁石１１の上方にプレート１３が配置されることで、磁石１１を基点とした内磁型の磁気回路が形成されている。そして、ヨーク１２とプレート１３との間に形成されている間隙に、スピーカ本体部５のボイスコイル２が位置するように、磁気回路部１０とスピーカ本体部５とが連結されている。
【０００５】
このスピーカ装置１００において、図示されない信号線を介してボイスコイル２に駆動電流が流されることで、磁気回路部１０による磁気回路から力を受け、振動板３が振動し、音声が生成される。このとき、振動板３の振動に起因して磁気回路部１０に対して反発力が作用し、該磁気回路部１０自身が振動される。その結果、振動板３の振動が磁気回路部１０の振動の影響を受け、スピーカ装置１００全体の音質が低下してしまう。そこで、磁気回路部１０の振動を抑制するために、スピーカ装置１００においては、図１に示すように該磁気回路部１０に直接に、且つスピーカ本体部５には干渉しないように錘部２０が設けられている。
【０００６】
このように錘部２０が設けられることで、磁気回路部１０の質量が追加的に増加することになるため、磁気回路部１０が振動板３からの反発力に影響される程度が低減し、以てスピーカ装置１００の音質低下の抑制が図られることになる。ここで、図１に示すように、スピーカ装置１００は磁気回路部１０がスピーカ本体部５の背面側に配置、連結されることで形成され、その連結に起因して該スピーカ装置１００の大きさは、連結された磁気回路部１０が延在する方向（当該方向が、後述する、本発明に係る「所定延在方向」に相当する。）に大きくなる。即ち、図１に示す状態では、所定延在方向は、スピーカ装置の正面側から背面側に向かう方向であり、当業者においては一般的に「スピーカ装置の長さ
」として認識される方向である。以下、本明細書において「スピーカ装置の長さ」と記載する場合は、所定延在方向の大きさを言うものとする。
【０００７】
ここで、図１に示す状態では、スピーカ装置１００の長さ（図１において「スピーカ全長」と示される長さ）が、錘部２０の設置により、その錘部２０の長さ（図１において「錘部長さ」と示される長さ）分だけ増加することになる。これは、車両等の限られた空間に搭載されるスピーカ装置には致命的な問題となるものであって、錘部の追加を断念しスピーカ装置１００の音質が犠牲にならざるを得ない。
【０００８】
本発明では、上記した問題に鑑み、スピーカ装置の音質低下の抑制と省スペース性の向上の両立が可能な、スピーカ装置を提供することを目的とする。
【課題を解決するための手段】
【０００９】
上記課題を解決するために、本発明では、磁気回路部に対して錘部をネジ結合によって結合し、その錘部の長さを磁気回路部の長さ以内に収めることとした。詳細には、本発明は、振動部を有し、該振動部の振動により音声を生成するスピーカ本体部と、前記スピーカ本体部に連結して設けられ、前記振動部の振動を生成するための磁気回路を提供する磁気回路部と、前記磁気回路部に連結して設けられ、所定の質量を有する錘部と、を備えるスピーカ装置であって、前記磁気回路部は、前記磁気回路を内包する磁気回路本体部と、前記磁気回路本体部の外表面の部位であって、前記磁気回路部と前記スピーカ本体部との連結によって形成される、該スピーカ本体部から該磁気回路部に向かう方向である所定延在方向に沿って延在する部位に設けられたネジ部と、を有し、前記錘部は、前記ネジ部を介して前記磁気回路部に螺合状態で連結され、且つ該連結状態において、前記所定延在方向に沿った該錘部の長さは、該所定延在方向に沿った該磁気回路部の長さ以内に収められる。
【００１０】
本発明に係るスピーカ装置では、磁気回路部によって形成された磁気回路を介して、スピーカ本体部の振動部が振動し、音声が生成される。ここで、スピーカ装置の音質低下を抑制するために、磁気回路部に錘部が連結して設けられる。この錘部は、所定の質量を有するものであって、当該所定の質量は、磁気回路部が振動部の振動に起因して受ける反発力に抗し、スピーカ装置の音質維持に貢献し得る質量である。
【００１１】
ここで、磁気回路部においては、磁気回路部本体の外表面上の所定延在方向に沿った部位に、錘部を連結するためのネジ部が設けられている。ここで、所定延在方向とは、スピーカ本体部と磁気回路部の両者の連結状態によって決定される方向であり、当該連結によって形成されるスピーカ装置の占有空間に関連する、磁気回路本体部が空間を占有すべく延在する方向である。従って、錘部は、この所定延在方向に沿ったネジ部を介して磁気回路部本体の外表面を包むように、磁気回路部に対して螺合して行き、結果的に両者は結合状態に至ることになる。
【００１２】
このように、ネジ部を介して磁気回路部と錘部とが連結された状態では、錘部は、磁気回路本体部に対して並ぶように配置されることになり、且つ所定延在方向に沿った錘部の長さが、当該方向に沿った磁気回路部の長さ以内に収められるため、本発明に係るスピーカ装置においては、錘部が磁気回路部に連結されても、スピーカ装置の占有空間の大きさ、特に所定延在方向における大きさ（例えば、スピーカ装置の「長さ」として認識される場合がある。）は、当該連結前とスピーカ装置の所定延在方向における大きさは変わらないことになる。そのため、当該スピーカ装置においては、錘部によりその音質低下を抑制できるとともに、スピーカ装置の省スペース性に影響を及ぼすのを回避できることになる。また、ネジ部を介して磁気回路部と錘部とを螺合連結できるため、その音質調整のための錘部の取り付けが容易である。
【００１３】
ここで、上記スピーカ装置において、前記錘部は、前記ネジ部に螺合する貫通孔部を有し、該貫通孔部と該ネジ部が螺合することで、前記磁気回路部の外側周囲に螺合状態で連結されるようにしてもよい。錘部が貫通孔部を有することで、磁気回路部が当該貫通孔部に挿通される状態となる。その結果、上述のように、スピーカ装置の所定延在方向における大きさに影響を及ぼすことなく、錘部を磁気回路部に連結することが可能となる。
【００１４】
また、上述までのスピーカ装置において、前記錘部は、前記所定延在方向に沿って複数の小錘部に分割可能であって、前記磁気回路部に対して螺合状態で連結される、前記分割された前記小錘部の数が選択されることで、前記磁気回路部に対して付与される前記錘部の質量が調整されるようにしてもよい。錘部と磁気回路部はネジ部を介して連結するため、このように錘部が複数の小錘部に分離可能であれば、ユーザがその小錘部の数を選択し、必要に応じた錘部をスピーカ装置に連結することが容易となる。これは、ユーザのスピーカ装置の音質に対する嗜好の満足に資する。例えば、スピーカ装置の音質の程度はユーザによって変動することも考えられるため、小錘部の数をユーザが調整できるようになることで、スピーカ装置の省スペース性を失うことなく、ユーザの嗜好に応じたスピーカ装置の形成が可能となる。
【００１５】
また、上述までのスピーカ装置において、前記磁気回路本体部は、磁石と、前記磁石を内部に配することで内磁型の磁気回路を形成するヨーク部と、を有し、前記ネジ部は、前記ヨーク部の外表面に設けられるようにしてもよい。磁気回路部においていわゆる内磁型の磁気回路を形成することで、ネジ部の形成にヨーク部を効率的に利用することが可能となる。
【００１６】
また、本発明に係るスピーカ装置を次のように捉えることもできる。即ち、本発明に係るスピーカ装置は、振動部を有し、該振動部の振動により音声を生成するスピーカ本体部と、前記スピーカ本体部に連結して設けられ、前記振動部の振動を生成するための磁気回路を提供する磁気回路部と、前記磁気回路部に連結して設けられ、所定の質量を有する錘部と、を備えるスピーカ装置であって、前記磁気回路部は、前記磁気回路を内包する磁気回路本体部と、前記磁気回路本体部の外表面の部位であって、前記磁気回路部と前記スピーカ本体部との連結によって形成される、該スピーカ本体部から該磁気回路部に向かう方向である所定延在方向に沿って延在する部位に設けられたネジ部と、を有し、前記錘部として、質量が同一又は質量が異なる小錘部が一又は複数選択されることで、該錘部の質量が調整され、前記選択された小錘部からなる前記錘部は、前記ネジ部を介して小錘部ごとに前記磁気回路部に螺合状態で連結され、且つ該連結状態において、前記所定延在方向に沿った該錘部の長さは、該所定延在方向に沿った該磁気回路部の長さ以内に収められる。これにより、音質低下の抑制と省スペース性の向上の両立が可能となり、更には音質の調整に当たっては、ユーザの嗜好に対応することが可能ともなる。
【発明の効果】
【００１７】
スピーカ装置の音質低下の抑制と省スペース性の向上の両立が可能な、スピーカ装置を提供することが可能となる。
【発明を実施するための最良の形態】
【００１８】
＜実施例１＞
ここで、本発明に係るスピーカ装置の実施例について、明細書添付の図２Ａ及び図２Ｂに基づいて説明する。尚、当該実施例は本発明に係るスピーカ装置の一例を示すものであり、本発明の権利範囲を限定するものではない。
【００１９】
図２Ａは、本発明の実施例に係るスピーカ装置１の概略図を、断面図の形で示したもの
である。図面の上下方向が、スピーカ装置１の長さを示す方向となる。また、図２Ｂは、図２Ａにも示される錘部３０の上面図になる。ここで、スピーカ装置１において、先に説明した図１に示すスピーカ装置１００と同一の構成については、同一の参照番号を付すことでその詳細な説明を割愛する。
【００２０】
スピーカ装置１において、図２Ａに示すように磁気回路部１０は、磁石１１をヨーク１２の内部に内包する、いわゆる内磁型の磁気回路を形成している。また、磁石１１を内包するヨーク１２は、スピーカ装置１の長さ方向（即ち、本発明に係る所定延在方向に相当する。）に延在する円柱形状を有しており、当該長さ方向に沿って雄ネジが切られネジ部１２ａが形成されている。尚、このネジ部１２ａは、円柱状のヨーク１２の長さ方向、即ち図２Ａに示す「磁気回路部長さ」方向の概ね全般に沿って設けられている。
【００２１】
次に、磁気回路部１０に取り付けられる錘部３０について説明する。錘部３０は、図２Ｂに示すように、中央に円形の貫通孔部３２が設けられた、いわばドーナツ形の柱形状を有している。錘部３０の長さは、図２Ａに示すように、スピーカ装置１の長さ方向に沿って「錘部長さ」として定義される。ここで、錘部３０の中央に設けられた貫通孔部３２の側面には、スピーカ装置１の長さ方向に沿って雌ネジが切られネジ部３１が形成されており、このネジ部３１と、磁気回路部１０側のネジ部１２ａとは螺合状態で連結が可能である。
【００２２】
そして、錘部３０は、振動板３からの反発力による磁気回路部１０の不要な振動を抑制するために必要な質量を有しており、この錘部３０が磁気回路部１０に対して、雄ネジが切られたネジ部１２ａと雌ネジが切られたネジ部３１とが螺合状態で連結することで、磁気回路部１０の不要振動の抑制が図られる。尚、錘部３０の連結に際しては、錘部３０がスピーカ本体部５と接触しないように留意する。
【００２３】
ここで、図２Ａに示すように、磁気回路部１０と錘部３０の連結状態において、錘部３０の長さは、磁気回路部１０の長さ以内に収まるように、錘部３０の長さが決定されている。このようにすることで、錘部３０を磁気回路部１０に対して螺合連結すると、錘部３０の端面（スピーカ装置１の背面側の端面）は、磁気回路部１０の端面（同様に、スピーカ装置１の背面側の端面）と面一となるか（この状態が、図２Ａには記載されている）、又は該磁気回路部１０の端面よりスピーカ本体部５側に収まった位置に至ることになる。これにより、スピーカ本体部５と磁気回路部１０とで構成されるスピーカ装置１に対して、音質向上のために錘部３０が連結されたとしても、スピーカ装置１自体の長さであるスピーカ全長には変わりはないため、該スピーカ装置１の省スペース性が失われることなく、その音質向上を図ることが可能となる。
【００２４】
＜実施例２＞
本発明に係るスピーカ装置の第二の実施例について、図３に基づいて説明する。尚、図３に示すスピーカ装置１の構成のうち、先に示したスピーカ装置の構成と同一のものに対しては、同一の参照番号を付すことでその詳細な説明は割愛する。本実施例に係るスピーカ装置１においても、先の実施例に係るスピーカ装置１と同様にドーナツ形状の錘部３０が磁気回路部１０に対して、螺合状態で連結される。
【００２５】
ここで、本実施例に係るスピーカ装置１では、錘部３０が、更に薄型の小錘部３０ａによって分割形成されている。小錘部３０ａは、先の実施例の錘部３０と同様に、その中央部には雌ネジが切られたネジ部３１ａが設けられている。従って、ユーザは、スピーカ装置１の音質を向上させるために、必要に応じた枚数の小錘部３０ａを、そのネジ部３１ａと、磁気回路部１０側のネジ部１２ａとを螺合状態で連結する。このようにすることで、ユーザの嗜好に応じた音質調整が可能となるとともに、小錘部３０ａは磁気回路部１０に
対して螺合連結されるため、ユーザの操作も容易である。
【００２６】
尚、図３に示す状態では、４枚の小錘部３０ａを磁気回路部１０に螺合連結することで、一つの錘部３０を形成している。従って、ユーザによっては、小錘部３０ａの枚数を選択することで、例えば三枚の小錘部３０ａを選択することで、自己の嗜好に応じたスピーカ装置の音質を生み出すことが可能となる。
【００２７】
このように、本実施例に係るスピーカ装置１においても、その省スペース性は確保されている。
【図面の簡単な説明】
【００２８】
【図１】従来のスピーカ装置の概略構成を示す図である。
【図２Ａ】本発明の第一の実施例に係るスピーカ装置の概略構成を示す図である。
【図２Ｂ】図２Ａに示すスピーカ装置において、磁気回路部に取り付けられる錘部の上面図である。
【図３】本発明の第二の実施例に係るスピーカ装置の概略構成を示す図である。
【符号の説明】
【００２９】
１・・・・スピーカ装置
２・・・・ボイスコイル
３・・・・振動板
４・・・・スピーカ筐体部
５・・・・スピーカ本体部
１０・・・・磁気回路部
１１・・・・磁石
１２・・・・ヨーク
１２ａ・・・・ネジ部
３０・・・・錘部
３０ａ・・・・小錘部
３１・・・・ネジ部
３１ａ・・・・ネジ部
３２・・・・貫通孔部
【図１】
2009194743.tif 000003
【図２Ａ】
2009194743.tif 000004
【図２Ｂ】
2009194743.tif 000005
【図３】
2009194743.tif 000006